(57)【要約】【課題】可燃性冷媒の漏洩によるリスクを低減でき、屋内などの限定された空間に設置可能な貯湯タンクユニットを提供する。【解決手段】貯湯タンクユニット（１）が、貯湯タンク（１１）と、貯湯タンク（１１）を収容するケーシングと、ケーシング内に配置され、可燃性冷媒が流れる水熱交換器（１２）と、ケーシング内に配置され、ケーシング内に漏洩した上記可燃性冷媒を検出する冷媒センサ（１１０）と、漏洩検出手段（１１０）が可燃性冷媒を検出したとき、ケーシング内に漏洩した可燃性冷媒を拡散させる拡散手段（１２０）と、を備えている。【選択図】図１
2017044457.tif 000002
【特許請求の範囲】
【請求項１】
貯湯タンク（１１）と、
上記貯湯タンク（１１）を収容するケーシング（４０）と、
上記ケーシング（４０）内に配置され、可燃性冷媒が流れる水熱交換器（１２）と、
上記ケーシング（４０）内に配置され、上記ケーシング（４０）内に漏洩した上記可燃性冷媒を検出する漏洩検出手段（１１０）と、
上記漏洩検出手段（１１０）が上記可燃性冷媒を検出したとき、上記ケーシング（４０）内に漏洩した上記可燃性冷媒を拡散させる拡散手段（１２０）と、
を備えたことを特徴とする貯湯タンクユニット。
【請求項２】
請求項１に記載の貯湯タンクユニットにおいて、
上記拡散手段（１２０）が、上記水熱交換器（１２）よりも下側に配置されていることを特徴とする貯湯タンクユニット。
【請求項３】
請求項１または２に記載の貯湯タンクユニットにおいて、
上記拡散手段（１２０）が、上記水熱交換器（１２）に接続された上記ケーシング（４０）内の冷媒配管（３１）近傍に配置されていることを特徴とする貯湯タンクユニット。
【請求項４】
請求項１から３のいずれか１つに記載の貯湯タンクユニットにおいて、
上記ケーシング（４０）が、屋内に設置されていることを特徴とする貯湯タンクユニット。
【請求項５】
請求項１から４のいずれか１つに記載の貯湯タンクユニットにおいて、
上記拡散手段（１２０）が、漏洩した上記可燃性冷媒を上方に向かって吹き出す送風装置を含むことを特徴とする貯湯タンクユニット。
【請求項６】
請求項１から５のいずれか１つに記載の貯湯タンクユニットにおいて、
上記可燃性冷媒が、Ｒ３２冷媒であることを特徴とする貯湯タンクユニット。
【発明の詳細な説明】
【技術分野】
【０００１】
本発明は、貯湯タンクユニットに関する。
【背景技術】
【０００２】
従来、貯湯タンクユニットとしては、特開２００４−１４４４３７号公報(特許文献１)に記載されたものがある。この貯湯タンクユニットは、ケーシングと、このケーシングの内部に配置され、温水を貯留する貯湯タンクとを備えている。
【０００３】
また、上記ケーシングの外部には、圧縮機からの高温高圧の冷媒が供給される水熱交換器が配置され、貯湯タンクから水熱交換器に流れた温水と、圧縮機からの高温高圧の冷媒との間で、熱交換が行われる。
【先行技術文献】
【特許文献】
【０００４】
【特許文献１】特開２００４−１４４４３７号公報
【発明の概要】
【発明が解決しようとする課題】
【０００５】
ところで、上記貯湯タンクユニットを屋内に設置し、冷媒として可燃性冷媒を用いた場合、冷媒配管の継ぎ手部分あるいはロウ付け部分などから漏洩した可燃性冷媒が上記貯湯タンクユニットの設置空間に溜まり、設置空間の空気に対する可燃性冷媒のガス濃度が可燃域まで上昇する可能性がある。このため、屋内などの限定された空間に上記貯湯タンクユニットを設置し、冷媒として可燃性冷媒を用いると、漏洩によるリスクが問題となる。
【０００６】
そこで、本発明の課題は、可燃性冷媒の漏洩によるリスクを低減でき、屋内などの限定された空間に設置可能な可燃性冷媒を用いた貯湯タンクユニットを提供することにある。
【課題を解決するための手段】
【０００７】
上記課題を解決するため、本発明の貯湯タンクユニットは、
貯湯タンクと、
上記貯湯タンクを収容するケーシングと、
上記ケーシング内に配置され、可燃性冷媒が流れる水熱交換器と、
上記ケーシング内に配置され、上記ケーシング内に漏洩した上記可燃性冷媒を検出する漏洩検出手段と、
上記漏洩検出手段が上記可燃性冷媒を検出したとき、上記ケーシング内に漏洩した上記可燃性冷媒を拡散させる拡散手段と、
を備えたことを特徴としている。
【０００８】
上記構成によれば、可燃性冷媒が漏洩したとしても、漏洩した可燃性冷媒を漏洩検出手段により検出し、拡散手段で拡散させることができる。このため、屋内などの限定された空間に設置されていても、設置空間における空気に対する可燃性冷媒のガス濃度の上昇を抑えることができ、可燃性冷媒の漏洩によるリスクを低減できる。
【０００９】
一実施形態の貯湯タンクユニットでは、
上記拡散手段が、上記水熱交換器よりも下側に配置されている。
【００１０】
上記実施形態によれば、例えば、気体での比重が空気よりも大きい可燃性冷媒を用いたときに、水熱交換器から漏洩した可燃性冷媒を確実に拡散させて、設置空間における空気に対する可燃性冷媒のガス濃度の上昇を抑えることができる。
【００１１】
一実施形態の貯湯タンクユニットでは、
上記拡散手段が、上記水熱交換器に接続された上記ケーシング内の冷媒配管近傍に配置されている。
【００１２】
上記実施形態によれば、冷媒配管から漏出した可燃性冷媒を確実に拡散させて、設置空間における空気に対する可燃性冷媒のガス濃度の上昇を抑えることができる。
【００１３】
一実施形態の貯湯タンクユニットは、
上記ケーシングが、屋内に設置されている。
【００１４】
上記実施形態によれば、Ｒ３２冷媒の漏洩によるリスクを低減できるので、可燃性冷媒を用いたとしても屋内に設置できる。このため、貯湯タンクユニットの設置可能な範囲を広げることができる。
【００１５】
一実施形態の貯湯タンクユニットは、
上記拡散手段が、漏洩した上記可燃性冷媒を上方に向かって吹き出す送風装置を含む。
【００１６】
上記実施形態によれば、例えば、気体での比重が空気よりも大きい可燃性冷媒を用いたときに、送風装置により可燃性冷媒を上方に向かって吹き出すことにより、下側に溜まった可燃性冷媒を確実に拡散させることができる。
【００１７】
一実施形態の給湯装置では、
上記可燃性冷媒が、Ｒ３２冷媒である。
【００１８】
上記実施形態によれば、オゾン層破壊係数がゼロで、地球温暖化係数が低いＲ３２冷媒を使用するので、環境への負荷を低減できる。
【発明の効果】
【００１９】
本発明の貯湯タンクユニットは、屋内などの限定された空間に設置されていても、設置空間における空気に対する可燃性冷媒のガス濃度の上昇を抑えることができ、可燃性冷媒の漏洩によるリスクを低減できる。
【図面の簡単な説明】
【００２０】
【図１】本発明の一実施形態の貯湯タンクユニットを備えた給湯装置の回路図である。
【図２】本発明の一実施形態の貯湯タンクユニットの斜視図である。
【図３】図２の貯湯タンクユニットの下部の正面図である。
【図４】図２の貯湯タンクユニットの拡散ファンユニットの取付状態を説明するための図である。
【図５】図２の貯湯タンクユニットの拡散ファンユニットの分解斜視図である。
【発明を実施するための形態】
【００２１】
以下、本発明の貯湯タンクユニットを図示の実施形態により詳細に説明する。
【００２２】
図１は、本発明の一実施形態の貯湯タンクユニットを備えた給湯装置の回路図である。
【００２３】
上記給湯装置は、図１に示すように、貯湯タンクユニット１およびヒートポンプユニット２を備えている。
【００２４】
上記貯湯タンクユニット１は、温水を貯留する貯湯タンク１１と、この貯湯タンク１１に貯留される温水を生成するための水熱交換器１２とを有する。
【００２５】
上記貯湯タンク１１の底部には、水配管６６の一端が接続されている。この水配管６６の他端は水配管用接続口７６を介して水道管３２の一端に接続されている。また、水道管３２の他端は、給水源Ｅに接続されている。これにより、貯湯タンクユニット１は、給水源Ｅの市水(水道水)を、水道管３２、水配管用接続口７６および水配管６６を介して、貯湯タンク１１の底部に導入できるようになっている。また、貯湯タンク１１の底部には、循環配管３３の一端が接続されている。この循環配管３３には、循環ポンプ３４および水熱交換器１２が接続されている。
【００２６】
上記貯湯タンク１１の頂部には、循環配管３３の他端および水配管６５の一端が接続されている。水配管６５の他端は、混合弁３６に接続されている。この混合弁３６は、水配管６２を介して水配管６６にも接続されている。これにより、上記給湯装置は、貯湯タンク１１の頂部から出湯された温水を給水源Ｅから供給される水と混合して、所望の温度の温水を生成できるようになっている。このように生成された温水は、水配管６４，水配管用接続口７５および水配管８０を介して、給湯端末Ｔに流れるようになっている。
【００２７】
上記水熱交換器１２は、貯湯タンク１１の下側に配置され、凝縮器として作用する。この水熱交換器１２ではＲ３２冷媒が使用される。すなわち、水熱交換器１２では、ヒートポンプユニット２からの高温のＲ３２冷媒と、貯湯タンク１１からの水との熱交換が行われ、これにより、温水が生成される。
【００２８】
上記ヒートポンプユニット２は、水熱交換器１２に接続された圧縮機２１と、膨張手段２２と、蒸発器として作用する空気熱交換器２３とを有する。圧縮機２１、膨張手段２２および空気熱交換器２３は、貯湯タンクユニット１の水熱交換器１２と共に、冷媒配管３１を介して環状に接続されている。なお、膨張手段２２は例えば膨張弁である。
【００２９】
上記冷媒配管３１は、第１冷媒配管部３１ａ、第２冷媒配管部３１ｂおよび第３冷媒配管部３１ｃを含んでいる。第１冷媒配管部３１ａは貯湯タンクユニット１内に設置されている。また、第２冷媒配管部３１ｂおよび第３冷媒配管部３１ｃは、貯湯タンクユニット１とヒートポンプユニット２の間に設置されている。また、第１冷媒配管部３１ａの一端は、冷媒配管用接続口７３を介して第２冷媒配管部３１ｂの一端に接続されている。一方、第１冷媒配管部３１ａの他端は、冷媒配管用接続口７４を介して第３冷媒配管部３１ｂの一端に接続されている。
【００３０】
上記冷媒配管用接続口７３，７４の近傍には、拡散ファンユニット１００が設けられている。この拡散ファンユニット１００は、漏洩検出手段の一例の冷媒センサ１１０と、送風装置の一例の拡散ファン１２０とを有している。冷媒センサ１１０は、冷媒配管３１などから漏洩したＲ３２冷媒を検出する。また、拡散ファン１２０は、水熱交換器１２よりも下側かつ冷媒配管３１の近傍に配置されている。
【００３１】
上記給湯装置では、上記圧縮機２１および循環ポンプ３４を駆動させると、貯湯タンク１１内の温水が、貯湯タンク１１の底部から循環配管３３に流れる。循環配管３３に流れた温水は、水熱交換器１２に流れ、ヒートポンプユニット２からの高温のＲ３２冷媒と熱交換が行われ、温度が上昇する。温度が上昇した温水は、水熱交換器１２を出て、貯湯タンク１１の頂部から貯湯タンク１１内に戻る。このような動作を継続して行うことによって、貯湯タンク１１内に高温の温水を貯留することができるようになっている。
【００３２】
図２は、上記貯湯タンクユニット１の斜視図を示す。なお、以下の記載において、図２に示すＸ方向を貯湯タンクユニット１の前後方向とし、図２の左下側を前方、図２の右上側を後方とする。
【００３３】
上記貯湯タンクユニット１は、図２に示すように、ケーシング４０を有する。このケーシング４０は、前板４１と、左右の側板４２と、後板４３と、上板４４と、底板４５と、化粧板２００とで構成されている。
【００３４】
上記ケーシング４０の内部には、貯湯タンク１１、水熱交換器１２、水配管６５，６６および第１冷媒配管部３１ａなどが収容されている。貯湯タンク１１は断熱材１３で覆われている。また、水熱交換器１２も断熱材１４で覆われている。貯湯タンク１１の前方には、水配管６５，６６および制御装置を含む電装品６０などが配置されている。
【００３５】
上記貯湯タンク１１は、３つの貯湯タンク脚５０，５０，５０に支えられ、起立している。この３つの貯湯タンク脚５０，５０，５０のうち、１つの貯湯タンク脚５０は前板４１側にあり、２つの貯湯タンク脚５０は後板４３側にある。また、３つの貯湯タンク脚５０，５０，５０は、周方向に略同じ間隔で配置されている。すなわち、貯湯タンク脚５０，５０，５０の位相間隔は、略１２０°に設定されている。また、各貯湯タンク脚５０の上端は貯湯タンク１１の側面に取り付けられている。一方、各貯湯タンク脚５０の下端は底板４５に取り付けられている。また、底板４５の下面には、３つのケーシング脚４６が取り付けられている。３つのケーシング脚４６は、３つの貯湯タンク脚５０と別体である。各ケーシング脚４６はケーシング４０の外部に配置されているが、各貯湯タンク脚５０はケーシング４０の内部に収容されている。
【００３６】
水熱交換器１２は、貯湯タンク１１の底面と貯湯タンク脚５０と底板４５で囲まれた空間に配置されている。
【００３７】
上記ケーシング４０の前板４１の下方には、蓋板４８により覆われたメンテナンス用開口部（図示せず）が設けられている。このメンテナンス用開口部は、水熱交換器１２を取り出すための開口部であり、水熱交換器１２に対向するように配置されている。また蓋板４８は、前板４１に着脱可能に取り付けられている。
【００３８】
また、図示しないが、貯湯タンク１１には、貯湯タンク１１内の温水の温度を検出する温度センサが取り付けられている。この温度センサは、貯湯タンク１１内の温水の温度を示す信号を制御装置へ送出する。これにより、上記制御装置は、上記温度センサからの上記信号に基づいて、貯湯タンク１１内の温度制御を行えるようになっている。
【００３９】
上記化粧板２００は、前板４１の前側に、上板４４の底面の辺縁に沿って設けられており、上部化粧板２０１と下部化粧板２０２とで構成されている。
【００４０】
図３は、上記貯湯タンクユニット１の下部の正面図である。
【００４１】
図３に示すように、貯湯タンクユニット１の前側の下部には、上記水配管用接続口７１，７２が蓋板４８に対向するように配置されている。この水配管用接続口７１，７２は、ケーシング４０の内部に配置された水配管６１，６３（図２に示す）を介して、貯湯タンク１１の頂部に接続されている。これにより、水配管用接続口７１，７２に水配管（図示せず）を接続すれば、貯湯タンク１１内の温水を他の給湯端末に流すことができるようになっている。
【００４２】
上記水配管用接続口７１，７２の一側方には冷媒配管用接続口７３，７４が設けられている。また、上記水配管用接続口７１，７２の他側方には、水配管用接続口７５，７６が設けられている。この水配管用接続口７５，７６は、冷媒配管用接続口７３，７４よりも上側（貯湯タンクユニット１の設置面から高い位置）に配置されている。
【００４３】
また、蓋板４８の前側には、下部化粧板２０２により覆われた配管接続用スペースＳが設けられている。この配管接続用スペースは、水配管用接続口７１，７２，７５，７６と水配管との接続、および、冷媒配管用接続口７３，７４と冷媒配管３１との接続などを行うためのスペースである。下部化粧板２０２は、左右の側板４２および上部化粧板２１１に対して着脱可能に取り付けられ、その左下隅部（図３では右下隅）に円形の吹出口２１４が設けられている。また、下部化粧板２０２の裏側の左下隅部には、拡散ファンユニット１００が取り付けられている。
【００４４】
図４は、上記貯湯タンクユニット１の拡散ファンユニット１００の取付状態を説明するための図であり、図５は、上記貯湯タンクユニット１の拡散ファンユニット１００の分解斜視図である。
【００４５】
拡散ファンユニット１００は、図４に示すように、取付板１０１と、冷媒センサ１１０と、拡散ファン１２０と、電源端子台１３０とで構成されている。この拡散ファンユニット１００は、下部化粧板２０２の吹出口２１４に拡散ファン１２０の吹出口が対向し、かつ、拡散ファン１２０の上側に冷媒センサ１１０が位置するように、下部化粧板２０２に取り付けられている。
【００４６】
取付板１０１は、図５に示すように、矩形の平板形状を有し、下部化粧板２０２と略平行に設けられた主要面１０２と、この主要面１０２の長辺側の両端から前方に向かって延びる左側面１０３ａおよび右側面１０３ｂとで構成されている。左右の側面１０３ａ，１０３ｂの主要面１０２に対向する側の端には、それぞれ、主要面１０２に対して略平行に延びる取付面１０４ａ，１０４ｂが設けられている。左側面１０３ａの取付面１０４ａは、左側方に、右側面１０３ｂの取付面１０４ｂは、右側方に延びている。冷媒センサ１１０、拡散ファン１２０および電源端子台１３０は、主要面１０２に固定されている。
【００４７】
主要面１０２には、冷媒センサ１１０を取り付けるための矩形の貫通孔１０６と、拡散ファン１２０に空気を供給するための円形の貫通孔１０７とが設けられている。円形の貫通孔１０７の周囲には、拡散ファン１２０を固定するためのファン取付孔１０８が設けられている。また、取付面１０４の長手方向の両端には、拡散ファンユニット１００を下部化粧板２０２に固定するためのユニット取付孔１０９が設けられている。なお、下部化粧板２０２には、ユニット取付孔１０９のそれぞれに対応するユニット取付孔２１５が設けられており、ボルトおよびナットなどの締結部材を用いて、下部化粧板２０２に拡散ファンユニット１００を固定できるようになっている。
【００４８】
冷媒センサ１１０は、図５に示すように、検出面１１１が下部化粧板２０２に対向するように、矩形の貫通孔１０６を介して主要面１０２に固定されている。なお、冷媒センサ１１０は、Ｒ３２冷媒が漏洩したときに、貯湯タンクユニット１の設置空間における空気に対するＲ３２冷媒のガス濃度が可燃域に達する前に、漏洩したＲ３２冷媒を検出できる位置（高さ）に配置されている。この位置は、貯湯タンクユニット１を設置している場所の床面積に応じて決定される。
【００４９】
拡散ファン１２０は、図５に示すように、軸流ファンであり、四隅に設けられたファン取付孔１２１を有している。このファン取付孔１２１は、それぞれ取付板１０１のファン取付孔１０８に対応しており、ボルトおよびナットなどの締結部材を用いて、取付板１０１に拡散ファン１２０を固定できるようになっている。
【００５０】
電源端子台１３０は、拡散ファン１２０の上側かつ冷媒センサ１１０の左側（図５の右側）に設けられている。この電源端子台１３０と、冷媒センサ１１０および拡散ファン１２０とは、図示しない電線で電気的に接続され、電源端子台１３０から冷媒センサ１１０および拡散ファン１２０に電力が供給されるようになっている。
【００５１】
次に、上記拡散ファンユニット１００の動作について説明する。
【００５２】
冷媒配管の継ぎ手部分あるいはロウ付け部分などからＲ３２冷媒が漏洩し、冷媒センサ１１０が漏洩したＲ３２冷媒を検出すると、冷媒センサ１１０から制御装置にＲ３２冷媒が漏洩したことを表す漏洩信号が出力される。漏洩信号が出力されると、制御装置は拡散ファン１２０を駆動させるモータを制御して、拡散ファン１２０を駆動させる。
【００５３】
拡散ファン１２０が駆動すると、図２の矢印に示すように、ケーシング４０の内部から下部化粧板２０２の吹出口２１４を介して、ケーシング４０の外部に向かって流れる空気流が形成される。
【００５４】
Ｒ３２冷媒は、気体での比重が空気よりも大きく、貯湯タンクユニット１の設置面から徐々に蓄積していく。また、下部化粧板２０２の吹出口２１４は、貯湯タンクユニット１の設置面に近い位置に設けられている。このため、拡散ファン１２０により形成された空気流に乗って、漏洩したＲ３２冷媒がケーシング４０の外部に吹き出される。
【００５５】
すなわち、上記構成の貯湯タンクユニット１によれば、漏洩したＲ３２冷媒が拡散ファン１２０によって拡散されるので、仮に、屋内などの限定された空間に貯湯タンクユニット１が設置されていたとしても、貯湯タンクユニット１が設置されている空間の空気に対するＲ３２冷媒のガス濃度の上昇が抑えられる。その結果、貯湯タンクユニット１の設置空間における空気に対するＲ３２冷媒のガス濃度が可燃域（１３．３％〜２９．３％）に達するのを回避でき、Ｒ３２冷媒の漏洩によるリスクを低減できる。
【００５６】
また、拡散ファン１２０が、水熱交換器１２よりも下側に配置されているので、気体での比重が空気よりも大きいＲ３２冷媒を用いたときに、水熱交換器１２から漏洩したＲ３２冷媒を確実に拡散させることができる。その結果、貯湯タンクユニット１の設置空間における空気に対するＲ３２冷媒のガス濃度の上昇を抑えることができる。
【００５７】
また、拡散ファン１２０が、水熱交換器１２に接続されたケーシング４０内の冷媒配管３１近傍に配置されているので、冷媒配管３１から漏出したＲ３２冷媒を確実に拡散させることができる。その結果、貯湯タンクユニット１の設置空間における空気に対するＲ３２冷媒のガス濃度の上昇を抑えることができる。
【００５８】
また、上記貯湯タンクユニット１は、仮に、屋内などの限定された空間に設置されていたとしても、Ｒ３２冷媒の漏洩によるリスクを低減できる。このため、屋内／屋外の制限無く設置できる。
【００５９】
また、オゾン層破壊係数がゼロで、地球温暖化係数が低いＲ３２冷媒を使用するので、環境への負荷を低減できる。
【００６０】
（その他の実施形態）
上記実施形態では、下部化粧板２０２に吹出口２１４を設けて、ケーシング４０の内部から外部に向かって前方に空気流が形成されるように拡散ファン１２０を配置しているが、これに限らない。例えば、拡散手段を拡散ファンと吹出口に設けたフラップなどの整流手段とで構成して、整流手段により漏洩したＲ３２冷媒を上方に向かって吹き出すようにしてもよい。この場合、気体での比重が空気よりも大きいＲ３２冷媒を用いたときに、送風装置によりＲ３２冷媒を上方に向かって吹き出すことにより、下側に溜まったＲ３２冷媒を確実に拡散させることができる。
【００６１】
また、拡散手段は、拡散ファンと、吹出口を間欠的に開閉する開閉手段とで構成してもよい。これにより、拡散ファンにより生成される空気流が吹出口から断続的に吹き出され、乱流となる。これにより、Ｒ３２冷媒を確実に拡散できる。
【００６２】
漏洩検出手段は、Ｒ３２冷媒の漏洩を検出できればよく、貯湯タンクユニット１の設計等に応じて、任意に採用できる。例えば、上記実施形態では、ケーシング４０の内部に冷媒センサ１１０を設け、この冷媒センサ１１０によってＲ３２冷媒が検出された場合にＲ３２冷媒の漏洩が検出されるが、これに限らない。冷媒配管内を流れるＲ３２冷媒量を検出できるセンサを設け、検出されたＲ３２冷媒量が所定範囲を超えて少なくなった場合にＲ３２冷媒の漏洩が検出されるようにしてもよい。また、ケーシングの内部の温度を検出する温度センサを設け、検出されたケーシングの内部の温度が所定範囲を超えて低下した場合にＲ３２冷媒の漏洩が検出されるようにしてもよい。
【００６３】
冷媒センサ１１０および拡散ファン１２０は、貯湯タンクユニット１用の電源とは別のバッテリーなどの電源で駆動するようにしてもよい。
【００６４】
冷媒センサ１１０および拡散ファン１２０の位置は、上記実施形態に限らない。冷媒センサおよび拡散ファンの位置は、設置空間における空気に対する可燃性冷媒のガス濃度の上昇を抑えることができるように、漏洩した可燃性冷媒を検出し、拡散させることができる位置であればよく、貯湯タンクユニットの設置環境、あるいは、使用する可燃性冷媒の種類などに応じて、適宜変更できる。
【００６５】
拡散ファン１２０は、軸流ファンに限らず、配置場所などに応じて、遠心ファンまたはクロスフローファンなどの異なる種類のファンを用いることができる。
【００６６】
上記実施形態では、Ｒ３２冷媒を用いているが、これに限らず、他の可燃性冷媒、あるいは、微燃性冷媒を用いてもよい。
【００６７】
上記実施形態では、水配管用接続口７１，７２，７５，７６の側方に設けられた冷媒配管用接続口７３，７４を用いていたが、水配管用接続口７１，７２，７５，７６の上方に設けられた冷媒配管用接続口を用いてもよい。
【００６８】
上記実施形態では、上記水配管用接続口７１，７２，７５，７６の高さ方向の位置は、冷媒配管用接続口７３，７４の高さ方向の位置よりも低くなっていたが、冷媒配管用接続口７３，７４の高さ方向の位置と同じ、または、冷媒配管用接続口７３，７４の高さ方向の位置よりも高くしてもよい。
【００６９】
上記実施形態で述べた構成要素は、適宜、組み合わせてもよく、また、適宜、選択、置換、あるいは、削除してもよい。
【符号の説明】
【００７０】
１  貯湯タンクユニット
２  ヒートポンプユニット
１１  貯湯タンク
１２  水熱交換器
２１  圧縮機
２２  膨張手段
２３  空気熱交換器
３１  冷媒配管
３１ａ  第１冷媒配管部
３１ｂ  第２冷媒配管部
３１ｃ  第３冷媒配管部
４０  ケーシング
６１，６２，６３，６４，６５，６６，８０  水配管
７１，７２，７５，７６  水配管用接続口
７３，７４  冷媒配管用接続口
１００  拡散ファンユニット
１０１  取付板
１０２  主要面
１０３ａ  左側面
１０３ｂ  右側面
１０４ａ，１０４ｂ  取付面
１０６，１０７  貫通孔
１０８，１２１  ファン取付孔
１０９，２１５  ユニット取付孔
１１０  冷媒センサ
１１１  検出面
１２０  拡散ファン
１３０  電源端子台
２００  化粧板
２０１  上部化粧板
２０２  下部化粧板
２１３  蓋板
２１４  吹出口
【図１】
2017044457.tif 000003
【図２】
2017044457.tif 000004
【図３】
2017044457.tif 000005
【図４】
2017044457.tif 000006
【図５】
2017044457.tif 000007